(57)【要約】【課題】吐水部の外周側に同心状に回転操作部を設けることなく原水と浄水とを切り替えることができる吐水装置を提供すること。【解決手段】本発明の吐水装置は、前方側に突出する先端部と、当該先端部よりも後方側に位置する吐水部と、を有するスパウトと、前記先端部に設けられた回転操作部と、を備える。スパウトは、原水供給路と、浄水供給路と、前記吐水部に連通する吐水用流路と、を更に有しており、原水供給路と吐水用流路とは、原水供給用開口によって連通されており、原水供給用開口は、原水開閉弁が進退動作することによって開閉されるようになっており、浄水供給路と吐水用流路とは、浄水供給用開口によって連通されており、浄水供給用開口は、浄水開閉弁が進退動作することによって開閉されるようになっている。回転操作部を回転操作することによって、原水開閉弁及び前記浄水開閉弁が進退動作する。【選択図】図６
2020051088.tif 000002
【特許請求の範囲】
【請求項１】
前方側に突出する先端部と、当該先端部よりも後方側に位置する吐水部と、を有するスパウトと、
前記先端部に設けられた回転操作部と、
を備え、
前記スパウトは、原水供給路と、浄水供給路と、前記吐水部に連通する吐水用流路と、を更に有しており、
前記原水供給路と前記吐水用流路とは、原水供給用開口によって連通されており、
前記原水供給用開口は、原水開閉弁が進退動作することによって開閉されるようになっており、
前記浄水供給路と前記吐水用流路とは、浄水供給用開口によって連通されており、
前記浄水供給用開口は、浄水開閉弁が進退動作することによって開閉されるようになっており、
前記回転操作部を回転操作することによって、前記原水開閉弁及び前記浄水開閉弁が進退動作するようになっている
ことを特徴とする吐水装置。
【請求項２】
前記スパウトは、前記浄水供給路の上流側において、原水を浄化して浄水とする浄化フィルタを有している
ことを特徴とする請求項１に記載の吐水装置。
【請求項３】
前記回転操作部を回転操作することによって、
（１）前記原水供給用開口が開放され、前記浄水供給用開口が閉鎖された状態と、
（２）前記原水供給用開口が閉鎖され、前記浄水供給用開口が開放された状態と、
を切り替える途中において、
（３）前記原水供給用開口と前記浄水供給用開口との両方が開放された状態を経由する
ことを特徴とする請求項１または２に記載の吐水装置。
【請求項４】
前記回転操作部を回転操作することによって、カム部材が回転するようになっており、
前記原水開閉弁は、前記カム部材に当接する原水弁当接部を有しており、
前記浄水開閉弁は、前記カム部材に当接する浄水弁当接部を有しており、
前記カム部材は、回転方向に変化する厚みを有していて、当該カム部材の回転によって前記原水弁当接部及び前記浄水弁当接部が変位することによって前記原水開閉弁及び前記浄水開閉弁が進退動作するようになっている
ことを特徴とする請求項１乃至３のいずれかに記載の吐水装置。
【請求項５】
前記回転操作部と前記カム部材とは、スピンドルによって接続されている
ことを特徴とする請求項４に記載の吐水装置。
【請求項６】
前記カム部材は、前記スピンドルの軸方向には固定されており、
前記原水開閉弁は、前記スピンドルの軸方向に延びており、
前記原水開閉弁の軸方向の先端が、前記原水弁当接部として前記カム部材に当接しており、
前記原水供給用開口は、前記スピンドルの軸方向に略垂直な壁部内に設けられており、
前記浄水開閉弁は、前記スピンドルの軸方向に延びており、
前記浄水開閉弁の軸方向の先端が、前記浄水弁当接部として前記カム部材に当接しており、
前記浄水供給用開口は、前記スピンドルの軸方向に略垂直な壁部内に設けられている
ことを特徴とする請求項５に記載の吐水装置。
【発明の詳細な説明】
【技術分野】
【０００１】
本発明は、吐水装置に関し、特には、原水と浄水との切り替え機能を有する吐水装置に関する。
【背景技術】
【０００２】
従来より、原水と浄水との切り替え機能を有する吐水装置が知られている。特許文献１に記載された吐水装置では、シャワー吐出口を形成した頭部の周面に設けた操作部を回動することによって、原水と浄水とが切り替えられるようになっている。
【先行技術文献】
【特許文献】
【０００３】
【特許文献１】特開２００１−１４９２５１
【発明の概要】
【発明が解決しようとする課題】
【０００４】
しかしながら、従来の技術では、スパウトの周囲に操作用のレバーを設ける必要があり、また、バルブを納めるために頭部を大きく設計する必要があり、デザイン性が低下してしまう（選択できるデザインが限られてしまう）という問題があった。また、操作用レバーを吐水部の右側に設けた場合、左利きの使用者にとっては使い勝手が悪くなるという問題があった。
【０００５】
本発明は、以上のような背景の下で創案されたものである。本発明の目的は、スパウトのデザイン性を保ちながら使い勝手よく原水と浄水とを切り替えることができる吐水装置を提供することである。
【課題を解決するための手段】
【０００６】
本発明は、前方側に突出する先端部と、当該先端部よりも後方側に位置する吐水部と、を有するスパウトと、前記先端部に設けられた回転操作部と、を備え、前記スパウトは、原水供給路と、浄水供給路と、前記吐水部に連通する吐水用流路と、を更に有しており、前記原水供給路と前記吐水用流路とは、原水供給用開口によって連通されており、前記原水供給用開口は、原水開閉弁が進退動作することによって開閉されるようになっており、前記浄水供給路と前記吐水用流路とは、浄水供給用開口によって連通されており、前記浄水供給用開口は、浄水開閉弁が進退動作することによって開閉されるようになっており、前記回転操作部を回転操作することによって、前記原水開閉弁及び前記浄水開閉弁が進退動作するようになっていることを特徴とする吐水装置である。
【０００７】
本発明によれば、スパウトの先端部に設けられた回転操作部を用いて原水開閉弁及び浄水開閉弁を進退動作させることで原水供給用開口及び浄水供給用開口が開閉されて原水と浄水とが切り替えられるため、デザイン性の低下が抑制される。
【０００８】
吐水装置をコンパクトに設計するためには、原水を浄化して浄水とする浄化フィルタをスパウト内の浄水供給路の上流側の領域に設置することが好ましい。
【０００９】
これによれば、浄化フィルタの交換を行う際に、スパウト部分を取り外すだけで作業が行える為、メンテナンス作業を効率的に行うことが出来るようになる。
【００１０】
また、回転操作部を回転操作することによって、
（１）前記原水供給用開口が開放され、前記浄水供給用開口が閉鎖された状態と、
（２）前記原水供給用開口が閉鎖され、前記浄水供給用開口が開放された状態と、
を切り替える途中において、
（３）前記原水供給用開口と前記浄水供給用開口との両方が開放された状態を経由する
ようになっていることが好ましい。
【００１１】
これによれば、原水供給用開口と浄水供給用開口との両方が閉鎖された状態で原水供給路と浄水供給路との両方における水圧が高くなることによって、回転操作部の回転操作が行い難くなる（円滑さを失う）、という不都合を防止できる。
【００１２】
回転操作部の回転動作は、例えばカム部材を介して、原水開閉弁及び浄水開閉弁の進退動作に変換される。例えば、回転操作部を回転操作することによってカム部材が回転するようになっており、原水開閉弁はカム部材に当接する原水弁当接部を有しており、浄水開閉弁はカム部材に当接する浄水弁当接部を有しており、カム部材は回転方向に変化する厚みを有していて、当該カム部材の回転によって原水弁当接部及び浄水弁当接部が変位することによって原水開閉弁及び浄水開閉弁が進退動作するようになっている。
【００１３】
このような形態によれば、スパウトの内部領域を有効活用したレイアウトの採用が可能である。
【００１４】
更に、回転操作部とカム部材とは、スピンドルによって接続されていることが好ましい。
【００１５】
これによれば、コンパクトな構成で、回転操作部の回転動作をカム部材に伝達することが可能である。
【００１６】
また、この場合、更に、カム部材はスピンドルの軸方向には固定されていて、原水開閉弁はスピンドルの軸方向に延びており、原水開閉弁の軸方向の先端が原水弁当接部としてカム部材に当接しており、原水供給用開口はスピンドルの軸方向に略垂直な壁部内に設けられており、浄水開閉弁はスピンドルの軸方向に延びており、浄水開閉弁の軸方向の先端が浄水弁当接部としてカム部材に当接しており、浄水供給用開口はスピンドルの軸方向に略垂直な壁部内に設けられていることが好ましい。
【００１７】
これによれば、コンパクトな構成で、回転操作部の回転動作を原水開閉弁及び浄水開閉弁の進退動作に変換することが可能である。
【発明の効果】
【００１８】
本発明によれば、スパウトの先端部に設けられた回転操作部を用いて原水開閉弁及び浄水開閉弁を進退動作させることで原水供給用開口及び浄水供給用開口が開閉されて原水と浄水とが切り替えられるため、デザイン性の低下が抑制される。
【図面の簡単な説明】
【００１９】
【図１】本発明の一実施形態による吐水装置の概略斜視図である。
【図２】本実施形態の吐水装置の上方から見た分解斜視図である。
【図３】本実施形態の吐水装置の原水／浄水切替ユニットの前方から見た分解斜視図である。
【図４】図３の原水／浄水切替ユニットの後方から見た分解斜視図である。
【図５】本実施形態の吐水装置の原水整流吐水時の正面図である。
【図６】本実施形態の吐水装置の原水整流吐水時の縦断面図（図５のＶＩ−ＶＩ線断面図）である。
【図７】本実施形態の吐水装置のチャック部材の内部の断面図である。
【図８】本実施形態の吐水装置の浄水整流吐水時の正面図である。
【図９】本実施形態の吐水装置の浄水整流吐水時の縦断面図（図８のＩＸ−ＩＸ線断面図）である。
【図１０】本実施形態の吐水装置の原水整流吐水と浄水整流吐水との間の切替途中の正面図である。
【図１１】本実施形態の吐水装置の原水整流吐水と浄水整流吐水との間の切替途中の縦断面図（図１０のＸＩ−ＸＩ線断面図）である。
【図１２】本実施形態の吐水装置の原水シャワー吐水時の正面図である。
【図１３】本実施形態の吐水装置の原水シャワー吐水時の縦断面図（図１２のＸＩＩＩ−ＸＩＩＩ線断面図）である。
【発明を実施するための形態】
【００２０】
次に、添付図面を参照して、本発明の一実施形態による吐水装置について説明する。本実施形態の吐水装置１は、原水と浄水とを切り替えることができる吐水装置である。
【００２１】
図１は、本発明の一実施形態による吐水装置１の概略斜視図である。図１に示すように、本実施形態の吐水装置１は、支柱部２と、スパウト３と、シングルレバー４と、を備えており、シングルレバー４の操作によって、吐水量（止水状態を含む）と吐水温度とを選択調整できるようになっている。
【００２２】
スパウト３は、前方側（図１では左側）に突出する先端部３ａと、先端部３ａよりも後方側（図１では右側）に位置する吐水部３ｂと、を有している。先端部３ａには、回転操作部１０が設けられている。
【００２３】
図２は、本実施形態の吐水装置１の上方から見た分解斜視図であり、図３は、本実施形態の吐水装置の原水／浄水切替ユニット６０の前方から見た分解斜視図であり、図４は、図３の原水／浄水切替ユニット６０の後方から見た分解斜視図であり、図５は、本実施形態の吐水装置１の原水整流吐水時の正面図であり、図６は、本実施形態の吐水装置１の原水整流吐水時の縦断面図（図５のＶＩ−ＶＩ線断面図）である。
【００２４】
図２及び図６に示すように、スパウト３の先端部３ａには、チャック部材３３が設けられている。チャック部材３３は、スパウト３の外殻部材３１内に、Ｏリング３２と二重のスリーブ部材３８、３９とを介して固定されている。図２に示すように、チャック部材３３は、２つの鏡像の略半円形状部分３３ａ、３３ｂからなっている。
【００２５】
回転操作部１０は、スパウト３の先端部３ａのチャック部材３３に対して回転可能に支持されて当該回転操作部１０の回転操作によって回転する樹脂部材１１を有している。より詳細には、樹脂部材１１の後方側のフランジ部１１ｆ（図６参照）が、チャック部材３３の前方側の縮径部３３ｆと互いに摺動可能に係合することによって、互いに回転可能に接続されている。樹脂部材１１は、例えばポリアセタール樹脂（ＰＯＭ）から製造されている。
【００２６】
樹脂部材１１には、当該樹脂部材１１と共に回転するように、筒状部１２が接続されている。より詳細には、樹脂部材１１の爪部（不図示）と筒状部１２の爪受容部１２ａ（図２参照）とが、回転方向に接続されている。筒状部１２も、例えばポリアセタール樹脂（ＰＯＭ）から製造されている。
【００２７】
筒状部１２の外周面は、略円筒状であり、チャック部材３３によって摺動可能に包囲されている。また、筒状部１２の内周面には、スパウト３に固定された板バネ３５と順次に係合可能な３箇所の係合凹部１２ｒ（図２参照）が設けられている。
【００２８】
図７は、チャック部材３３の内部の断面図である。図７に示すように、板バネ３５は、スパウト３の通水本体３４の前方端面上に設けられた２つの回転摺動ガイド突起３４ｇのうちの一方と３つの板バネ保持突起３４ｐとによって保持されている。２つの回転摺動ガイド突起３４ｇは、樹脂部材１１の後方面内の回転摺動ガイド溝（不図示）内を摺動するようになっている。回転摺動ガイド突起３４ｇ及び板バネ保持突起３４ｐを含む通水本体３４も、例えばポリアセタール樹脂（ＰＯＭ）から製造されている。
【００２９】
一方、図２、図５及び図６に示すように、樹脂部材１１には、回転操作部１０の外殻部材１３が固定されている。当該外殻部材１３には、美観向上のため、例えば金属メッキ等が施され得る。
【００３０】
また、樹脂部材１１には、当該樹脂部材１１と共に回転するように、スピンドル１４が固定されている。スピンドル１４の後方のフランジ部１４ｆが、スパウト３の通水本体３４によって回転可能に支持され、また、スピンドル１４の中間位置付近の縮径部１４ａが、水密摺動用のＯリング１５を介して、やはりスパウト３の通水本体３４によって回転可能に支持されている。そして、スピンドル１４の外周面に、所定のカム凹部１４ｒが形成されている。
【００３１】
スピンドル１４のフランジ部１４ｆとＯリング１５（縮径部１４ａ）との間の領域は、一次側流路である吐水用流路２２となっている。また、フランジ部１４ｆに設けられた切欠１４ｃが、通水本体３４の後方側の流路２１と吐水用流路２２とを連通させている。そして、吐水用流路２２内において、昇降可能な切替弁４０が設けられている。
【００３２】
切替弁４０には、スピンドル１４が貫通する貫通孔４１が設けられていて、当該貫通孔４１の一部にカム凹部１４ｒと当接する当接部４１ｃが設けられている。これにより、回転操作部１０の回転動作に伴って、カム凹部１４ｒが当接部４１ｃを昇降移動させるようになっている（後述する図１３参照）。
【００３３】
また、スピンドル１４のカム凹部１４ｒの下方側においては、略二重筒状のシャワー流路形成部材５１が通水本体３４に固定されている。シャワー流路形成部材５１の内側筒部５１ａ（後述する図９参照）が、切替弁４０の下方側の筒部４２の鉛直移動を案内するようになっており、内側筒部５１ａと外側筒部５１ｂ（後述する図９参照）との間にコイルバネ４７が収容されている。コイルバネ４７の上方端は、切替弁４０の筒部２０と当接部４１ｃとの間に設けられたフランジ部４３を上向きに付勢しており、これによって、当接部４１ｃがカム凹部１４ｒと常に当接する（当接部４１ｃがカム凹部１４ｒによって規定される位置に直ちに移動する）ようになっている。
【００３４】
また、シャワー流路形成部材５１の外側筒部５１ｂには、欠損部５１ｃが設けられていて、当該欠損部５１ｃが外側筒部５１ｂの内方空間（吐水用流路２２）と下方空間とを連通するシャワー流路を形成している。当該欠損部５１ｃを介しての通水量は、切替弁４０の昇降移動に伴うフランジ部４３の昇降移動によって変化するようになっている。なお、本実施形態の外側筒部５１ｂの上端面は、内側に凹んだ切頭円錐面状となっている。
【００３５】
また、シャワー流路形成部材５１には、屈曲筒部５５と整流筒部５７とを介して、筒状のシャワーヘッド部５２が接続されている。シャワーヘッド部５２は、内部に散水用流路５２ａが形成されている。本実施形態の散水用流路５２ａは、散水板の形態で提供されている。また、整流筒部５７の外周面上には、整流作用を有する整流通路５７ｂ（図２参照）が形成されており、シャワーヘッド部５２の外周面上にも、整流作用を有する整流通路５２ｂが形成されている。
【００３６】
切替弁４０の弁体４５は、貫通孔４１の上方に設けられており、水密用のＯリング４５ａを有している。通水本体３４には、当該弁体４５によって開閉される開口３４ａが設けれており、当該開口３４ａの内側が前述した吐水用流路２２となっており、当該開口３４ａの外側が二次側流路２３となっている。二次側流路２３の上方側は、カバー部材３６及びＯリング３７によって水密に覆われている。二次側流路２３は、吐水用流路２２の側方を通って、整流筒部５７の外周面上の整流通路５７ｂに至っている。
【００３７】
筒状のシャワーヘッド部５２の更に外側に、筒状の水流案内部５３が設けられている。筒状の水流案内部５３は、屈曲筒部５６を介して通水本体３４に固定されている。水流案内部５３は、整流通路５２ｂからの水流をシャワーヘッド部５２の吐水面上の領域２４に向けて案内するようになっており、整流通路５２ｂの下方側に環状路５３ａを規定している。当該環状路５３ａは、シャワーヘッド部５２の吐水面上の領域２４の外周側に隣接している。
【００３８】
以上の構成により、図６に示す原水整流吐水時においては、シャワーヘッド部５２から当該シャワーヘッド部５２の吐水面上の領域２４への吐水と、当該シャワーヘッド部の吐水面上の領域２４の外周側に隣接して設けられた環状路５３ａから当該領域２４への内方向きの吐水と、が合流されて、吐水部３ｂから吐水されるようになっている。
【００３９】
筒状の水流案内部５３の更に外側には、筒状の外殻部材５４が固定されている。当該外殻部材５４には、美観向上のため、例えば金属メッキ等が施され得る。
【００４０】
スパウト３の外殻部材３１も、美観向上のため、例えば金属メッキ等が施され得る。ここで、図６に示すように、スリーブ部材３８の一部が、回転操作部１０の外殻部材１３とスパウト３の外殻部材３１との間に介在している。これにより、外殻部材１３、３１同士が擦れ合って、メッキ剥がれ等が生じることが防止されている。
【００４１】
また、本実施形態による吐水装置１は、スパウト３の通水本体３４内の吐水用流路２２の上流側に、原水／浄水切替ユニット６０が挿入されている。
【００４２】
図２乃至図６に示すように、原水／浄水切替ユニット６０は、前方壁６９ｅを有する中空筒部６９の外周面と通水本体３４の内周面との間の隙間（中空筒部６９の外周面上の突起部６９ｐによって規制されている）を介して中空筒部６９の前方壁６９ｅの前方領域に連通して切替弁保持筒７１の第１突出筒７１ｃ内に至る原水供給路８１と、中空筒部６９の内部の中空領域から前方壁６９ｅの前方に突出する円筒状突出部６９ｃの内部を経て切替弁保持筒７１の第２突出筒７１ｄ内に至る浄水供給路８２と、を規定している。
【００４３】
円筒状突出部６ｃと第２突出筒７１ｄとは、Ｏリング７６を介して水密に接続されている。これにより、原水供給路８１と浄水供給路８２とが互いに遮断されている。
【００４４】
切替弁保持筒７１は、第１突出筒７１ｃの内部（原水供給路８１の一部）において、スピンドル１４の軸方向に略垂直な壁部を有しており、当該壁部内に原水供給用開口７１ａが設けられている。
【００４５】
原水供給用開口７１ａは、原水開閉弁６２がスピンドル１４の軸方向に進退動作することによって開閉されるようになっている。具体的には、原水開閉弁６２はスピンドル１４の軸方向に延びていて、Ｏリング保持部６２ａ及びＯリング６４が弁体となって、原水供給用開口７１ａを開閉するようになっている。原水開閉弁６２の進退動作は、後述するカム部材６１に当接する原水開閉弁６２の先端６２ｂが、カム部材６１の回転に伴って変位することで生じるようになっている。
【００４６】
切替弁保持筒７１の原水供給用開口７１ａの更に前方側には、原水開閉弁６２の進退動作を案内するべく、原水開閉弁６２の摺動部６２ｃを円滑に摺動させる案内筒部７１ｇが設けられている。
【００４７】
また、原水開閉弁６２のＯリング保持部６２ａの後方側には、フランジ部６２ｆが形成されている。そして、当該フランジ部６２ｆと中空筒部６９の前方壁６９ｅ上に設けられたコイルバネ固定突部６９ａとの間に、コイルバネ６６が嵌合されている。これにより、原水開閉弁６２は、原水供給用開口７１ａを閉塞する方向に（図６の左側方向に）常に付勢されている。
【００４８】
略同様に、切替弁保持筒７１は、第２突出筒７１ｄの内部（浄水供給路８２の一部）においても、スピンドル１４の軸方向に略垂直な壁部を有しており、当該壁部内に浄水供給用開口７１ｂが設けられている（後述する図１０参照）。
【００４９】
浄水供給用開口７１ｂは、浄水開閉弁６３がスピンドル１４の軸方向に進退動作することによって開閉されるようになっている。具体的には、浄水開閉弁６３はスピンドル１４の軸方向に延びていて、Ｏリング保持部６３ａ及びＯリング６５が弁体となって、浄水供給用開口７１ｂを開閉するようになっている。浄水開閉弁６３の進退動作は、後述するカム部材６１に当接する浄水開閉弁６３の先端６３ｂが、カム部材６１の回転に伴って変位することで生じるようになっている。
【００５０】
切替弁保持筒７１の浄水供給用開口７１ｂの更に前方側には、浄水開閉弁６３の進退動作を案内するべく、浄水開閉弁６３の摺動部６３ｃを円滑に摺動させる案内筒部７１ｇが設けられている。
【００５１】
また、浄水開閉弁６３のＯリング保持部６３ａの後方側には、フランジ部６３ｆが形成されている。そして、当該フランジ部６３ｆと中空筒部６９の前方壁６９ｅ上に設けられたコイルバネ固定突部６９ｂ（円筒状突出部６９ｃの内部に浄水供給路８２を塞がないように設けられている（図６参照））との間に、コイルバネ６６が嵌合されている。これにより、浄水開閉弁６３は、浄水供給用開口７１ｂを閉塞する方向に（図６の左側方向に）常に付勢されている。
【００５２】
さて、カム部材６１は、前方側の接続筒部６１ｅがスピンドル１４の後方端と嵌合することによって、スピンドル１４と一体的に回転するようになっている。軸方向には、後方側においては、切替弁保持筒７１の前方側に設けられた中央支持突部７１ｔによって当接支持され、前方側においては、金属製の止め板７２を介して通水本体３４の壁部によって支持されている。
【００５３】
カム部材６１の回転時には、カム部材６１の後方面の中央部６１ｆが中央支持突部７１ｔに対して互いに摺動し、カム部材６１の前方側の環状突部６１ｐが止め板７２に対して互いに摺動するようになっている。
【００５４】
そして、カム部材６１は、回転方向に変化する厚みを有している。本実施形態では、図４に示すように、約１２０°の回転範囲において一定の厚みを有する弁押込部６１ｂと、その両側それぞれ約３０°の回転範囲において厚みゼロから弁押込部６１ｂの厚みまで滑らかに厚みが変化する弁押込推移部６１ａ、６１ｃと、を有している。本実施形態では、残りの約１２０°の回転範囲において厚みゼロである（欠損部となっている）ため、接続筒部６１ｅを除いたカム部材６１の形状はディスクの一部が欠けた形状となっているが、当該角度範囲を弁押込部６１ｂの厚みよりも薄い厚みとした形態も採用可能である。
【００５５】
その他、本実施形態では、切替弁保持筒７１は、２つのＯリング７３、７４を介して通水本体３４内に保持されている。また、中空筒部６９（の内部の中空領域）には、原水を浄化して浄水とする浄化フィルタ９０が接続されている。
【００５６】
次に、本実施形態による吐水装置１の作用について説明する。
【００５７】
原水整流吐水時において、回転操作部１０は、図５及び図６に示された回転位置にあり、カム部材６１の弁押込部６１ｂが、コイルバネ６６による付勢力に対抗して、原水開閉弁６２の先端６２ｂを後方側（図６の右側）に変位させている。これにより、原水供給用開口７１ａが開放されている。
【００５８】
このため、原水は、中空筒部６９の外周面と通水本体３４の内周面との間の隙間から中空筒部６９の前方壁６９ｅの前方領域及び切替弁保持筒７１の第１突出筒７１ｃ内を通り（原水供給路８１を通り）、開放された原水供給用開口７１ａを通って、供給側流路２１に至る。供給側流路２１に供給された原水は、カム部材６１の接続筒部６１ｅと止め板７２及び通水本体３４との間の隙間（不図示）を介して、スピンドル１４の切欠１４ｃを経て、吐水用流路２２に至る。
【００５９】
一方、カム部材６１の厚みゼロの部分が、カム部材６１と浄水開閉弁６３の先端６３ｂとの当接を解除している。これにより、コイルバネ６７による付勢力を受ける浄水開閉弁６３が浄水供給用開口７１ｂを閉塞している。
【００６０】
このため、浄水は、中空筒部６９の内部の中空領域から前方壁６９ｅの前方に突出する円筒状突出部６９ｃの内部を経て切替弁保持筒７１の第２突出筒７１ｄ内に至る（浄水供給路８２を通る）が、浄水供給用開口７１ｂが閉塞されているため、供給側流路２１にまでは至らない。
【００６１】
原水整流吐水形態から浄水整流吐水状態への切り替えは、回転操作部１０を回転操作することによってなされる。この時、互いに摺動する樹脂部材１１及びチャック部材３３、並びに、樹脂部材１１及び回転摺動ガイド突起３４ｇは、いずれも樹脂製（ポリアセタール樹脂（ＰＯＭ）製）であるため、回転操作が滑らかである。
【００６２】
また、図６に示すように、スリーブ部材３８の一部が回転操作部１０の外殻部材１３とスパウト３の外殻部材３１との間に介在しているため、外殻部材１３、３１同士が擦れ合って、メッキ剥がれ等が生じることが防止されている。
【００６３】
図８は、本実施形態の吐水装置１の浄水整流吐水時の正面図であり、図９は、本実施形態の吐水装置１の浄水整流吐水時の縦断面図（図８のＩＸ−ＩＸ線断面図）である。
【００６４】
浄水整流吐水時において、回転操作部１０は、図８及び図９に示された回転位置にあり、カム部材６１の弁押込部６１ｂが、コイルバネ６７による付勢力に対抗して、浄水開閉弁６３の先端６３ｂを後方側（図９の右側）に変位させている。これにより、浄水供給用開口７１ｂが開放されている。
【００６５】
このため、浄水は、中空筒部６９の内部の中空領域から前方壁６９ｅの前方に突出する円筒状突出部６９ｃの内部を経て切替弁保持筒７１の第２突出筒７１ｄ内を通り（浄水供給路８２を通り）、開放された浄水供給用開口７１ｂを通って、供給側流路２１に至る。供給側流路２１に供給された浄水は、カム部材６１の接続筒部６１ｅと止め板７２及び通水本体３４との間の隙間（不図示）を介して、スピンドル１４の切欠１４ｃを経て、吐水用流路２２に至る。
【００６６】
一方、カム部材６１の厚みゼロの部分が、カム部材６１と原水開閉弁６２の先端６２ｂとの当接を解除している。これにより、コイルバネ６６による付勢力を受ける原水開閉弁６２が原水供給用開口７１ａを閉塞している。
【００６７】
このため、原水は、中空筒部６９の外周面と通水本体３４の内周面との間の隙間から中空筒部６９の前方壁６９ｅの前方領域及び切替弁保持筒７１の第１突出筒７１ｃ内に至る（原水供給路８１を通る）が、原水供給用開口７１ａが閉塞されているため、供給側流路２１にまでは至らない。
【００６８】
ここで、図１０は、本実施形態の吐水装置１の原水整流吐水と浄水整流吐水との間の切替途中の正面図であり、図１１は、本実施形態の吐水装置１の原水整流吐水と浄水整流吐水との間の切替途中の縦断面図（図１０のＸＩ−ＸＩ線断面図）である。
【００６９】
図１０及び図１１に示すように、本実施形態の吐水装置１は、原水整流吐水と浄水整流吐水との間の切替途中において、原水供給用開口７１ａと浄水供給用開口７１ｂとの両方が開放された状態を経由するようになっている。
【００７０】
具体的には、回転操作部１０が図１０及び図１１に示された回転位置にある時、カム部材６１の弁押込推移部６１ｃが、コイルバネ６６による付勢力に対抗して、原水開閉弁６２の先端６２ｂを後方側（図１１の右側）に変位させている。これにより、原水供給用開口７１ａが開放されている。
【００７１】
このため、原水は、中空筒部６９の外周面と通水本体３４の内周面との間の隙間から中空筒部６９の前方壁６９ｅの前方領域及び切替弁保持筒７１の第１突出筒７１ｃ内を通り（原水供給路８１を通り）、開放された原水供給用開口７１ａを通って、供給側流路２１に至る。供給側流路２１に供給された原水は、カム部材６１の接続筒部６１ｅと止め板７２及び通水本体３４との間の隙間（不図示）を介して、スピンドル１４の切欠１４ｃを経て、吐水用流路２２に至る。
【００７２】
一方で、カム部材６１の弁押込推移部６１ａも、コイルバネ６７による付勢力に対抗して、浄水開閉弁６３の先端６３ｂを後方側（図１１の右側）に変位させている。これにより、浄水供給用開口７１ｂが開放されている。
【００７３】
このため、浄水も、中空筒部６９の内部の中空領域から前方壁６９ｅの前方に突出する円筒状突出部６９ｃの内部を経て切替弁保持筒７１の第２突出筒７１ｄ内を通り（浄水供給路８２を通り）、開放された浄水供給用開口７１ｂを通って、供給側流路２１に至る。供給側流路２１に供給された浄水も、カム部材６１の接続筒部６１ｅと止め板７２及び通水本体３４との間の隙間（不図示）を介して、スピンドル１４の切欠１４ｃを経て、吐水用流路２２に至る。
【００７４】
このような状態を経由することによって、原水供給用開口７１ａと浄水供給用開口７１ｂとの両方が閉鎖された状態で原水供給路８１と浄水供給路８２との両方における水圧が高くなることによって、カム部材６１が各開閉弁６２、６３の先端６２ｂ、６３ｂを変位させるために必要な力が大きくなって回転操作部１０の回転操作が行い難くなる（円滑さを失う）、という不都合を防止できる。
【００７５】
なお、本実施形態の吐水装置１は、原水のシャワー吐水を行うことも可能である。
【００７６】
まず、図５、図６、図８及び図９に示すように、原水整流吐水時においても、浄水整流吐水時においても、スピンドル１４のカム凹部１４ｒは側方側に位置しており、すなわち、スピンドル１４のカム凹部１４ｒは、切替弁４０の貫通孔４１の当接部４１ｃとは当接していない。そして、コイルバネ４７による切替弁４０のフランジ部４３を上向きに付勢する力に対抗するように、スピンドル１４の周面（カム凹部１４ｒが形成されていない面）が切替弁４０の貫通孔４１の当接部４１ｃを下降させている。これにより、弁体４５は開口３４ａを開放している。
【００７７】
シングルレバー４の操作によって吐水が開始されると、温調された水（または湯）がスパウト３内に供給され、前述した原水／浄水切替ユニット６０の作用により、原水または浄水が吐水用流路２２に供給される。整流吐水（棒状吐水形態）においては、前述のように、開口３４ａが開放されているため、当該水は、吐水用流路２２から二次側流路２３にも供給される。
【００７８】
吐水用流路２２に供給された水は、スピンドル１４の下方において、切替弁４０のフランジ部４３とシャワー流路形成部材５１との間の隙間を介して、シャワー流路形成部材５１の外側筒部５１ｂの内方空間（コイルバネ４７が収容されている）に至る。そして更に、当該水は、欠損部５１ｃを介して、シャワー流路形成部材５１の下方空間へと流出し、シャワーヘッド部５２の散水用流路５２ａを介して、シャワー状に吐水される（但し、フランジ部４３とシャワー流路形成部材５１との間の隙間は、後述するシャワー吐水形態の時よりも相対的に小さいため、シャワー状の吐水量はシャワー吐水形態の時よりも少ない）。
【００７９】
二次側流路２３に供給された水は、吐水用流路２２の側方を通って、整流筒部５７の外周面上の整流通路５７ｂに至る。そして、当該整流通路５７ｂ及びシャワーヘッド部５２の外周面上の整流通路５２ｂを通過する際に整流されながら、環状路５３ａを介して、シャワーヘッド部５２の吐水面上の領域２４へと内向きに吐水される。
【００８０】
シャワーヘッド部５２の散水用流路５２ａからシャワー状に吐水される水流と、整流通路５２ｂにより整流されて環状路５３ａを介してシャワーヘッド部５２の吐水面上の領域２４へ内向きに吐水される水流とが合流されて、吐水部３ｂからの吐水は整流された棒状となる。
【００８１】
次に、図１２は、本実施形態の吐水装置１の原水シャワー吐水時の正面図であり、図１３は、本実施形態の吐水装置１の原水シャワー吐水時の縦断面図（図１２のＸＩＩＩ−ＸＩＩＩ線断面図）である。
【００８２】
図１２及び図１３に示すように、本実施形態の吐水装置１は、原水整流吐水と浄水整流吐水との間の切替途中において、原水シャワー吐水形態を提供できるようになっている。
【００８３】
この原水シャワー吐水形態において、回転操作部１０は、図１２及び図１３に示された回転位置にあり、コイルバネ４７が切替弁４０のフランジ部４３を上向きに付勢しているため、切替弁４０の貫通孔４１の当接部４１ｃがカム凹部１４ｒに当接する位置にまで上昇している。これにより、弁体４５が開口３４ａを閉塞している。
【００８４】
シングルレバー４の操作によって吐水が開始されると、温調された水（または湯）がスパウト３内に供給され、前述した原水／浄水切替ユニット６０の作用により、原水が吐水用流路２２に供給される。原水シャワー吐水形態においては、前述のように、開口３４ａが閉塞されているため、当該原水は、吐水用流路２２から二次側流路２３へは通流しない。
【００８５】
吐水用流路２２に供給された水は、スピンドル１４のカム凹部１４ｒの下方において、切替弁４０のフランジ部４３とシャワー流路形成部材５１の外側筒部５１ｂとの間の隙間を介して、シャワー流路形成部材５１の外側筒部５１ｂの内方空間（コイルバネ４７が収容されている）に至る。そして更に、当該水は、欠損部５１ｃを介して、シャワー流路形成部材５１の下方空間へと流出し、シャワーヘッド部５２の散水用流路５２ａを介して、シャワー状に吐水される。
【００８６】
以上のように、本実施形態の吐水装置１によれば、スパウト３の先端部に設けられた回転操作部１０を用いて原水開閉弁６２及び浄水開閉弁６３を進退動作させることで原水供給用開口７１ａ及び浄水供給用開口７１ｂが開閉されて原水と浄水とが切り替えられるため、吐水部３ｂ付近が大型化（大径化）することが抑制され、デザイン性の低下が抑制される。
【００８７】
また、本実施形態の吐水装置１によれば、原水を浄化して浄水とする浄化フィルタ９０をスパウト３内の浄水供給路８２の上流側の領域に設置しているため、コンパクトな設計が可能である。
【００８８】
また、本実施形態の吐水装置１によれば、回転操作部１０を回転操作することによって原水整流吐水（原水供給用開口７１ａが開放され浄水供給用開口７１ｂが閉鎖された状態）と浄水整流吐水（原水供給用開口７１ａが閉鎖され浄水供給用開口７１ｂが開放された状態）とを切り替える途中において、原水供給用開口７１ａと浄水供給用開口７１ｂとの両方が開放された状態が経由される。これにより、原水供給用開口７１ａと浄水供給用開口７１ｂとの両方が閉鎖された状態で原水供給路８１と浄水供給路８２との両方における水圧が高くなることによって、回転操作部１０の回転操作が行い難くなる（円滑さを失う）、という不都合を防止できる。
【００８９】
また、本実施形態の吐水装置１によれば、回転操作部１０を回転操作することによってカム部材６１が回転するようになっており、原水開閉弁６２はカム部材６１に当接する原水弁当接部としての先端６２ｂを有しており、浄水開閉弁６３はカム部材６１に当接する浄水弁当接部としての先端６３ｂを有しており、カム部材６１は回転方向に変化する厚みを有していて、当該カム部材６１の回転によって各開閉弁６２、６３の先端６２ｂ、６３ｂ部が変位することによって各開閉弁６２、６３が進退動作するようになっている。このような形態により、スパウト３の内部領域を有効活用したレイアウトが可能である。
【００９０】
また、本実施形態の吐水装置１によれば、回転操作部１０とカム部材６１とは、スピンドル１４によって接続されている。これにより、コンパクトな構成で、回転操作部１０の回転動作をカム部材６１に伝達することが可能である。
【００９１】
また、本実施形態の吐水装置１によれば、カム部材６１はスピンドル１４の軸方向には固定されていて、原水開閉弁６２はスピンドル１４の軸方向に延びており、原水開閉弁６２の軸方向の先端６２ｂがカム部材６１に当接しており、原水供給用開口７１ａはスピンドル１４の軸方向に略垂直な壁部内に設けられており、浄水開閉弁６３はスピンドル１４の軸方向に延びており、浄水開閉弁６３の軸方向の先端６３ｂがカム部材６１に当接しており、浄水供給用開口７１ｂはスピンドル１４の軸方向に略垂直な壁部内に設けられている。これにより、コンパクトな構成で、回転操作部１０の回転動作を原水開閉弁６２及び浄水開閉弁６３の進退動作に変換することが可能である。
【００９２】
更に、本実施形態の吐水装置１によれば、スパウト３の先端部に設けられた回転操作部１０を用いて吐水部３ｂからの吐水形態も切り替えられる。特に、スパウト３内の吐水部３ｂの上方領域はデッドスペースとなりやすい（有効活用例が少ない）が、上下方向に昇降可能な切替弁４０を用いることによって当該上方領域を有効活用したレイアウトの採用が可能となり、吐水部３ｂの突出量を不所望に増大させる必要もない。
【００９３】
具体的には、本実施形態の吐水装置１によれば、回転操作部１０の回転動作がスピンドル１４の回転となり、当該スピンドル１４の外周面に所定のカム凹部１４ｒが形成されており、切替弁４０にはスピンドル１４が貫通する貫通孔４１が設けられていて、当該貫通孔４１の一部にカム凹部１４ｒと当接する当接部４１ｃが設けられていて、回転操作部１０の回転動作に伴ってカム凹部１４ｒが当接部４１ｃを昇降移動させるようになっている。このような形態によって、スパウト３内の吐水部３ｂの上方領域を有効活用している。
【００９４】
また、本実施形態の吐水装置１によれば、切替弁４０の昇降位置に応じて、シャワー吐水形態と棒状吐水形態とが切り替えられるようになっており、シャワー吐水形態においては、吐水部３ｂのシャワーヘッド部５２から吐水がなされ、棒状吐水形態においては、シャワーヘッド部５２からの吐水と、当該シャワーヘッド部５２の吐水面上の領域２４の外周側に隣接して設けられた環状路５３ａから当該領域２４への内方向きの吐水と、が合流されるようになっている。これにより、一般的なシャワー吐水形態と、棒状に整流された棒状吐水形態と、を容易に切り替えることができる。
【００９５】
ここで、本件発明者の知見によれば、シャワーヘッド部５２からの吐水量よりも環状路５３ａからの吐水量の方を多くすることで、棒状吐水（１本吐水）の整流度を高めることができる。
【００９６】
また、本実施形態の吐水装置１によれば、シャワーヘッド部５２は、筒状であって、内部に散水用流路５２ａを有しており、シャワーヘッド部５２の外周面上に、整流部としての整流通路５２ｂが設けられており、環状路５３ａは、整流通路５２ｂの下方側に位置している。このような構成によって、吐水部３ｂ付近を大型化（大径化）させることなく、シャワーヘッド部５２を通る吐水用の流路と環状路５３ａを通る吐水用の流路とをコンパクトに形成することができる。また、シャワーヘッド部５２の外周面上の整流通路５２ｂの下方側に環状路５３ａを位置させることにより、シャワーヘッド部５２を通る吐水用の流路よりも環状路５３ａを通る吐水用の流路の方が長くなる。このことによっても、環状路５３ａを通る吐水の整流度の方がより高くなり、合流後の棒状吐水の整流度が改善される。なお、整流通路５２ｂにメッシュ部材等の整流部材が付加されてもよいし、あるいは、整流通路５２ｂがメッシュ部材等の整流部材によって置換されてもよい。
【００９７】
また、本実施形態の吐水装置１によれば、環状路５３ａは、整流通路５２ｂからの水流をシャワーヘッド部５２の吐水面上の領域２４に向けて案内する水流案内部５３によって規定されている。これにより、環状路５３ａを容易に設計することができる。
【００９８】
ここで、本件発明者の知見によれば、水流案内部５３によって変更される水流の方向の角度は、６０度以上、特には９０度（鉛直下向きから水平内方向き）、であることが好ましい。
【００９９】
また、本実施形態の吐水装置１によれば、回転操作部１０は、スパウト３の先端部に対して回転可能に支持され回転操作部１０の回転操作によって回転する樹脂部材１１を有している。これにより、樹脂部材１１によって円滑な回転動作を実現することができる一方で、回転操作部１０の外殻部材１３について金属メッキ等を採用した場合でも、そのような金属メッキ等が回転操作部１０の回転操作中に剥がれることが防止される。
【０１００】
また、本実施形態の吐水装置１によれば、スパウト３の先端部には樹脂部材１１を回転可能に支持するチャック部材３３が設けられており、当該チャック部材３３はスパウト３の外殻部材３１内で２つのスリーブ部材３８、３９及びＯリング３２を介して固定されている。これにより、スパウト３の先端部と回転操作部１０との間にガタツキが生じることが効果的に防止されている。
【０１０１】
また、樹脂部材１１には、筒状部１２が接続されており、筒状部１２の外周面がチャック部材３３によって摺動可能に包囲されており、筒状部１２の内周面には、回転操作部１０の回転操作によってスパウト３に固定された板バネ３５と順次に係合可能な複数の係合凹部１２ｒが設けられている（図７参照）。これにより、板バネ３５が各係合凹部１２ｒと順次に係合することで、回転操作部１０の回転操作を行うユーザに「クリック感」を提供することができ、すなわち、操作性が向上する。更に、板バネ３５の弾性力（弾発力）は筒状部１２によって吸収されるため、チャック部材３３やスパウト３の外殻部材３１に変形等が生じる懸念もない。
【０１０２】
なお、本実施形態では、切妻屋根状に屈曲された板バネ３５の屈曲部が各係合凹部１２ｒ内に順次に係合（嵌合）するようになっているが、異なる形態の弾性部材が採用された異なるタイプのクリック感提供機構が採用されてもよい。
【符号の説明】
【０１０３】
１    吐水装置
２    支柱部
３    スパウト
３ａ  先端部
３ｂ  吐水部
４    シングルレバー
６ｃ  円筒状突出部
１０    回転操作部
１１    樹脂部材
１１ｆ  フランジ部
１２    筒状部
１２ａ  爪受容部
１２ｒ  係合凹部
１３    外殻部材
１４    スピンドル
１４ａ  縮径部
１４ｃ  切欠
１４ｆ  フランジ部
１４ｒ  カム凹部
１５    Ｏリング
２０    筒部
２１    供給側流路
２２    吐水用流路
２３    二次側流路
２４    領域
３１    外殻部材
３２    Ｏリング
３３    チャック部材
３３ａ  半円形状部分
３３ｂ  半円形状部分
３３ｆ  縮径部
３４    通水本体
３４ａ  開口
３４ｇ  回転摺動ガイド突起
３４ｐ  板バネ保持突起
３５    板バネ
３６    カバー部材
３７    Ｏリング
３８    スリーブ部材
３９    スリーブ部材
４０    切替弁
４１    貫通孔
４１ｃ  当接部
４２    筒部
４３    フランジ部
４５    弁体
４５ａ  Ｏリング
４７    コイルバネ
５１    シャワー流路形成部材
５１ａ  内側筒部
５１ｂ  外側筒部
５１ｃ  欠損部
５２    シャワーヘッド部
５２ａ  散水用流路
５２ｂ  整流通路
５３    水流案内部
５３ａ  環状路
５４    外殻部材
５５    屈曲筒部
５６    屈曲筒部
５７    整流筒部
５７ｂ  整流通路
６０    浄水切替ユニット
６１    カム部材
６１ａ  弁押込推移部
６１ｂ  弁押込部
６１ｃ  弁押込推移部
６１ｅ  接続筒部
６１ｆ  中央部
６１ｐ  環状突部
６２    原水開閉弁
６２ａ  Ｏリング保持部
６２ｂ  先端
６２ｃ  摺動部
６２ｆ  フランジ部
６３    浄水開閉弁
６３ａ  Ｏリング保持部
６３ｂ  先端
６３ｃ  摺動部
６３ｆ  フランジ部
６４    Ｏリング
６５    Ｏリング
６６    コイルバネ
６７    コイルバネ
６９    中空筒部
６９ａ  コイルバネ固定突部
６９ｂ  コイルバネ固定突部
６９ｃ  円筒状突出部
６９ｅ  前方壁
６９ｐ  突起部
７１    切替弁保持筒
７１ａ  原水供給用開口
７１ｂ  浄水供給用開口
７１ｃ  第１突出筒
７１ｔ  中央支持突部
７１ｄ  第２突出筒
７１ｇ  案内筒部
７２    止め板
７３    Ｏリング
７４    Ｏリング
７６    Ｏリング
８１    原水供給路
８２    浄水供給路
９０    浄化フィルタ
【図１】
2020051088.tif 000003
【図２】
2020051088.tif 000004
【図３】
2020051088.tif 000005
【図４】
2020051088.tif 000006
【図５】
2020051088.tif 000007
【図６】
2020051088.tif 000008
【図７】
2020051088.tif 000009
【図８】
2020051088.tif 000010
【図９】
2020051088.tif 000011
【図１０】
2020051088.tif 000012
【図１１】
2020051088.tif 000013
【図１２】
2020051088.tif 000014
【図１３】
2020051088.tif 000015